(57)【要約】【課題】  保護動物、農作物等の生育を妨げる害虫、害獣等を簡単、適切に防止する。【解決手段】  天然の有機繊維を脱色剤で脱色した白色のロープ状の有機繊維Ａと、この有機繊維Ａを赤色の染料で染めた赤色のロープ状の有機繊維Ｂとを捩り合わせて１本のロープを形成し、このロープにハーブの植物精油のエキスを単独又は複数種ブレンドしたものを含浸させて２色の色彩を形成した防虫用ロープ５ａを構成した。この防虫用ロープを果樹園等の周囲に害虫、害鳥、害獣の生態に合わせた地上高さに支柱を介して１段、又は数段張り巡らすようにして防虫用ロープ装置を構成する。防虫用ロープを構成する有機繊維ＡとＢの内、赤色による害虫等に対する忌避機能及び防虫用ロープに含浸したハーブのエキス等から発せられる刺激性の異臭により害虫に忌避作用を与える。なお、防虫用ロープ装置としての形態のほか、防虫用ネツトなどの形態の使用もある。【選択図】    図３
2005137358.tif 000002
【特許請求の範囲】
【請求項１】
天然の有機繊維を脱色剤で脱色した白色のロープ状の有機繊維Ａと、この有機繊維Ａを赤色の染料で染めた赤色のロープ状の有機繊維Ｂとを捩り合わせて１本のロープを形成し、このロープにハーブの植物精油のエキスを単独又は複数種ブレンドしたものを含浸させて２色の色彩を形成したことを特徴とする防虫用ロープ。
【請求項２】
さらに、ｃａｐｓｉｃｕｍ（激辛トウガラシ）のエキスを含浸させた請求項１に記載の防虫用ロープ。
【請求項３】
ｃａｐｓｉｃｕｍ（激辛トウガラシ）のエキスをＨＰＬＣ法で測定したカプサイシン含量で表示される辛み度合いが４〜１０％とするようにしたことを特徴とする請求項２に記載の防虫用ロープ。
【請求項４】
表面に、融点が４０℃〜９０℃であるパラフィン又はワックスを含浸或いは塗布した請求項１乃至３のいずれかに記載の防虫用ロープ。
【請求項５】
作付地面又は栽培地の周囲に、害虫又は害鳥或いは害獣の生態に合わせた地上高さに、請求項１乃至４のいずれかに記載の防虫用ロープを張り巡らすように付設したことを特徴とする防虫用ロープ装置。
【請求項６】
請求項５に記載の防虫用ロープ装置において、
害虫又は害鳥或いは害獣の生態に合わせた地上高さに付設された防虫用ロープの上部に、さらに、防虫用ロープを１段又は複数段付設するようにしたことを特徴とする防虫用ロープ装置。
【請求項７】
請求項１乃至４のいずれかに記載の防虫用ロープを用いて網状に形成した防虫用ネット。
【請求項８】
請求項７に記載の防虫用ネットを、作付地面又は栽培地内の全面若しくはその一部及び／又はこれらに近接した箇所にかぶせるようにしたことを特徴とする簡易防虫装置。
【請求項９】
野菜又は果実を栽培するビニールハウス内又は温室内において、
請求項１乃至４のいずれかに記載の防虫用ロープを誘引ロープとしてぶら下げたことを特徴とする簡易防虫装置。
【請求項１０】
野菜又は果実を栽培するビニールハウス又は温室において、
請求項７に記載の防虫用ネットをビニールハウス又は温室の外周の全部又は換気口を含む要部を覆うように防虫用ネットを張り巡らせるようにしたことを特徴とする簡易防虫装置。
【請求項１１】
害虫、害鳥、害獣から保護すべき保護対象の周囲又は近傍に当該保護対象となるものに対応した配置形態で、請求項１乃至４のいずれかに記載の防虫用ロープ及び／又は請求項７に記載の防虫用ネットを設置するようにしたことを特徴とする簡易防虫装置。
【発明の詳細な説明】
【技術分野】
【０００１】
本発明は林檎、柿、梨、桃等の各種の果実、キャベツ、トマト、トマピー、メロン、イチゴ等の各種野菜などの栽培の過程で問題となる害虫、害鳥のほか、鹿、猪、ハクビシン等の保護動物や猿等が保護区域等から抜け出し農地等にきて行う有害行為を防止し、さらに、稲等の穀物や穀物の貯蔵場所を含む広範囲の場所での害虫、害獣、害鳥からの予防に効果が大である２色の色彩を形成した防虫用ロープ、防虫用ロープ装置及び防虫用ネット等の防虫装置に関するものである。
【背景技術】
【０００２】
現在、林檎畑等の果実園やビニールハウスで果実、野菜などの栽培しているが、この栽培に従事する農家では高齢化（７０歳以上が多い）が進み、例えば林檎栽培における防虫、防鳥のための果実袋の袋かけ作業は重労働のために農夫病の原因となるので、その改善が求められている。
しかも、従来の果実袋は農薬入りのものであるため、果実の表面が農薬で汚染されるため、皮を剥かないと食べられず、さらに、無袋のものに比べ太陽光線を十分に受けないため、糖分が不足する等の問題点があった。
また、鹿等の保護動物も、管理当局が管理しているものの十分な管理ができず、農地や山林の苗木が植えられた畑等の場所に出没して農作物や苗木を食するなどの有害行為をするという事態を生じている。
さらに、稲作における品質低下の主な原因としては、カメムシ類やイネミズゾウムシによる被害を挙げることができる。
【０００３】
なお、従来の果実袋の取付手段として、次の特許文献１に開示するものが存在する。
【特許文献１】特開平０９−０７４９２９
【発明の開示】
【発明が解決しようとする課題】
【０００４】
上記特許文献１に記載のものでは、高所での果実袋の取付を行う機械器具を備えているが、老齢化に向かう果樹園の担当者にとっては、このような機械器具の操作を行うのは適当と言えず、もっと、簡単な手段での果実への防虫、防鳥手段が要望されている。
また、鹿等の保護動物の場合は、保護動物であるが故に、一般の民家や農家の人達が保護動物が有害な行為をしても、直ちに、これを退治できず、これらの除去のため、苦労しているのが、実情である。
また、日本の農業では、稲等の穀物については、害虫の予防に殺虫剤などの農薬を使用してきたが、これらの農薬は土壌等の生活環境を破壊するので、農薬を使わない有機無農薬栽培が世界的な潮流となろうとしており、このような有機無農薬栽培の立場からの防虫、防鳥、防獣手段が求められている。
また、害虫による被害は、このような稲作作物、前記の果実、野菜のほか、園芸、苗木、穀物倉庫の保管穀物などの各種場所でも問題になっている。
たとえば、穀物倉庫では、コクゾウムシやシメマダラメイガのような害虫のほか、ネズミによる被害もある。
また、水田における水漏れの原因として、モグラの出没用穴がその原因であることも判明しており、害虫のほか、モグラ駆除も水田栽培者の重要な課題となっている。
なお、モグラや猪は林檎の木の根元に寄生する蝉の幼虫を食べに来るため、林檎の木を損傷するという弊害もある。
本発明は、上記課題を解決し、保護動物の弊害を有効に防止し、果実の無袋栽培ができるほか、穀物、野菜等の農作物の栽培を有機無農薬栽培で行うことができ、かつ、これらの果実、農作物等に何らの毒性を付加することなく、害虫、害獣、害鳥からの防御を適切に行うことができる防虫効果のある２色の色彩を形成した防虫用ロープ及び防虫用ロープ装置及び防虫用ネット等の防虫装置を提供することを目的とする。
【０００５】
なお、本発明のものは、害虫のほか、以下に述べるように、果実、農作物等に被害を及ぼす害獣や害鳥にも有効であるが、本明細書の記載では、記載を簡潔に行う目的のため、上述した発明の名称及び特許請求の範囲の記載及び以下の記載をも含め、「害虫、害獣、害鳥」と逐一併記すべきところ、次のように簡略的に記述する。
即ち、多くの記述を、単に「害虫」と簡略化して主として記述し、そのために用いる本発明のロープやネット等も「防虫用、防獣用、防鳥用ロープ」又は「防虫用、防獣用、防鳥用ネット」とは記載せず、単に「防虫用ロープ」又は「防虫用ネット」と簡略的に記載するが、本発明は上記のように併記した場合の技術的機能を有し、害虫、害獣、害鳥の各場合に適用可能な発明であることを冒頭で説明しておく。
【課題を解決するための手段】
【０００６】
上記課題を解決するために、請求項１記載の防虫用ロープは、天然の有機繊維を脱色剤で脱色した白色のロープ状の有機繊維Ａと、この有機繊維Ａを赤色の染料で染めた赤色のロープ状の有機繊維Ｂとを捩り合わせて１本のロープを形成し、このロープにハーブの植物精油のエキスを単独又は複数種ブレンドしたものを含浸させて２色の色彩を形成するように構成した。
【０００７】
また、請求項２に記載の防虫用ロープは、請求項１記載の防虫用ロープにおいて、さらに、ｃａｐｓｉｃｕｍ（激辛トウガラシ）のエキスを含浸させるようにした。
【０００８】
また、請求項３に記載の防虫用ロープは、請求項２に記載の防虫用ロープにおいて、ｃ−ａｐｓｉｃｕｍ（激辛トウガラシ）のエキスをＨＰＬＣ法で測定したカプサイシン含量で表示される辛み度合いが４〜１０％であるようにした。
【０００９】
また、請求項４に記載の防虫用ロープは、請求項１乃至３のいずれかに記載の防虫用ロープにおいて、表面に、融点が４０℃〜９０℃であるパラフィン又はワックスを含浸或いは塗布するようにした。
【００１０】
また、請求項５に記載の防虫用ロープ装置は、作付地面又は栽培地の周囲に、害虫の生態に合わせた地上高さに、請求項１乃至４のいずれかに記載の防虫用ロープを張り巡らすように付設することで構成した。
【００１１】
また、請求項６に記載の防虫用ロープ装置は、請求項５に記載の防虫用ロープ装置において、害虫の生態に合わせた地上高さに付設された防虫用ロープの上部に、さらに、１段又は複数段付設するように構成した。
【００１２】
また、請求項７の防虫用ネットは、請求項１乃至４のいずれかに記載の防虫用ロープを用いて網状に形成した。
【００１３】
また、請求項８の簡易防虫装置は、請求項７に記載の防虫用ネットを、作付地面又は栽培地内の全面若しくは、その一部及び／又は、これらに近接した箇所にかぶせるようにした。
【００１４】
また、請求項９の簡易防虫装置は、野菜又は果実を栽培するビニールハウス内又は温室内において、請求項１乃至４のいずれかに記載の防虫用ロープを誘引ロープとしてぶら下げるように構成した。
【００１５】
また、請求項１０に記載の簡易防虫装置は、野菜又は果実を栽培するビニールハウス又は温室において、請求項７に記載の防虫用ネットをビニールハウス又は温室の外周の全部又は換気口を含む要部を覆うように防虫用ネットを張り巡らせるように構成した。
【００１６】
さらに、請求項１１に記載の簡易防虫装置は、害虫、害鳥、害獣から保護すべき保護対象となるものの周囲又は近傍に当該保護対象となるものに対応した配置形態で、請求項１乃至４のいずれかに記載の防虫用ロープ及び／又は請求項７に記載の防虫用ネットを設置するように構成した。
【発明の効果】
【００１７】
本発明の防虫用ロープ、防虫用ロープ装置、防虫用ネット等の防虫装置は、上記のように構成されるから、次のような優れた効果を有する。
（１）請求項１に記載の防虫用ロープは、素材である天然の有機繊維に含浸させたハーブのエキスが発する刺激臭のほかに、防虫用ロープを構成する有機繊維の赤、白の組合せにより、一方の赤色部分が強調され、しかも、長波長である赤の色彩が昆虫に忌避作用を与えるので防虫効果が助長され、果実のほか、各種の農作物、農栽培における害虫や鳥獣の被害の防止に対して極めて有効である。
【００１８】
（２）請求項２に記載の防虫用ロープでは、請求項１の効果に加え、ハーブのエキスのほか、ｃａｐｓｉｃｕｍ（激辛トウガラシ）のエキスが所要量含浸しているから、ハーブの刺激臭に、さらにｃａｐｓｉｃｕｍの刺激性の異臭が相乗するので、防虫、防獣、防鳥効果は増大する。
【００１９】
（３）請求項３に記載の防虫用ロープのように、ｃａｐｓｉｃｕｍ（激辛トウガラシ）のエキスをＨＰＬＣ法で測定したカプサイシン含量で表示される辛み度合いが４〜１０％となるようにすると、本発明の防虫用ロープとしての防虫、防獣、防鳥効果を適正に発揮するので、その実用性が増大される。
【００２０】
（４）請求項４に記載の防虫用ロープでは、ハーブのエキスのほか、必要に応じてｃａｐ−ｓｉｃｕｍ（激辛トウガラシ）のエキスが所定量含浸しているほか、当該防虫用ロープの表面に融点が４０℃〜９０℃であるパラフィン又はワックスを含浸しているから、防虫作用のある赤色部分の保持期間と揮発性であるハーブ、ｃａｐｓｉｃｕｍの刺激性の異臭の保持期間を延長することができる。
【００２１】
（５）また、請求項１乃至４のいずれかに記載の防虫用ロープを用いて請求項５又は６に記載のように防虫用ロープ装置を構成すると、果実のほか、稲にとって有害なカメムシ、イネミズゾウムシ等の害虫に対して忌避作用を及ぼすので、果実及び稲の生育を適正とし、果実及び米の品質を向上できる。
また、水田の水漏れの原因となっていたモグラの侵入も防止できるので、水田の水位も適正に保持できる。また、果実のほか、野菜を始め各種の農作物、農栽培における害虫や鳥獣の被害の防止に対しても有効である。なお、このような防虫、防獣、防鳥効果を有する防虫用ロープは、天然の有機繊維を素材としており主として小径のものであるから、必要な使用期間（例えば、１〜３ケ月）が経過すると自然崩壊する。
また、自然崩壊に至る過程で地面に落ちた防虫用ロープは、有機肥料として機能する。  また、上記防虫用ロープの支柱の素材として篠竹を用いると、支柱を放置しておいても強度低下して自然崩壊する。
よって、これら防虫用ロープや支柱は、農薬等のような環境破壊のような問題を生じない。
なお、果実の収穫が終了後に、支柱を地上から除去し、来年、再使用する場合には、金属製や合成樹脂製等の強度の大きい支柱を使用してもよい。
【００２２】
（６）請求項５又は６に記載の発明では、上記（５）の効果に加え、次のような優れた効果を有する。
即ち、請求項５又は６の防虫用ロープ装置では、防虫用ロープを、図１及び図３に示すように保護対象を囲む地面の周囲相互に向かって平行方向に張られる防虫用ロープが１段又は複数段付設されるので、作付地面を伝わって侵入する害虫、害獣に加えて、飛来性の害虫や害鳥に対しても、これらの侵入を防止できる効果が増大できる。
さらに、防虫用ロープの面積が増大するので害虫、害獣に忌避作用のある赤色及び異臭の強度も増大する。
【００２３】
（７）請求項７に記載したように、請求項１乃至請求項４のいずれかに記載の防虫用ロープに相当する機能の防虫用ネットを構成し、請求項８に記載のように、前記防虫用ネットを作付地面等にかぶせるようにした簡易防虫装置を構成すれば、簡単な構成の防虫用ネットとその適用作業により、請求項１〜請求項４の効果と同等の優れた防虫、防鳥、防獣効果を発揮できる。
【００２４】
（８）請求項９に記載の発明のように、請求項１〜４のいずれかの防虫用ロープを、誘引ロープとして用いるようにすると、簡単な手段で、野菜、果実等の栽培に有害な害虫、害鳥、害獣の被害を防止できる。
【００２５】
（９）請求項１０に記載の発明のように、ビニールハウス又は温室において、請求項７に記載の防虫用ネットをビニールハウス又は温室の外周の全部又は換気口を含む要部を覆うように防虫用ネットを張り巡らせるようにすれば、外来虫等からの被害からの予防に効果的である。
【００２６】
（１０）請求項１１に記載の発明のように、上述した請求項１〜４の防虫用ロープ装置の構成に使用される防虫用ロープ及び／又は防虫用ネットを、害虫、害鳥、害獣から保護すべき保護対象の防御に対応した設置形態で保護対象となるものの周囲または近傍に配置するようにすると、穀物倉庫等の広範囲の場所における各種の保護対象に対して害虫、害獣、害鳥の防御を適切に行う簡易防虫装置を簡単に構成することができる。
【発明を実施するための最良の形態】
【００２７】
第１の実施の形態：
本発明の防虫用ロープの第１の実施の形態の構成について、次に説明する。
防虫用ロープの材質として、麻又は椰子或いは麻不織布又は龍須草等の天然の有機繊維を用い、まず、脱色剤で脱色した白色のロープ状の有機繊維Ａと、この有機繊維Ａを赤色の染料で染めた赤色のロープ状の有機繊維Ｂとを生成し、これらの有機繊維Ａ、Ｂを捩り合わせて１本のロープを形成し、このロープにハーブの植物精油のエキスを単独又は複数種ブレンドしたものを含浸させて防虫用ロープを構成するものである。この防虫用ロープ５ａの構成例を図３に示す。
上記の脱色剤としては、例えば、Ｈ2Ｏ2を用いるのが適当である。
また、上記の赤色の染料としては、有機染料としてシャリンバイの樹木から抽出されるエキスで、紅型を作成する染料が適当であるが、この他、顔料の朱と洋紅とで彩色するものや、また、バイオテックカラーによるもの、或いは、インドネシヤのバテックスの染料を用いる等の各種の染料が考えられる。
【００２８】
また、本発明の防虫用ロープに含浸されるハーブの植物精油のエキスは、各種のハーブの内、防虫効果のあるものであれば各種ハーブが使用可能である。
このようなハーブの植物精油の具体例としては、シトロネラ等のカンキツ系の植物精油、カユプテ等の樹木類の植物精油、ゼラニウム等の花の植物精油、パチェリ等のエキゾチック植物精油、テレビン等の樹脂類の植物精油、シナモン等のスパイス類（クスノキ科）の植物精油、ニームオイル等のセンダン科の植物精油、スペアミント、バジル等のシソ科の植物精油、カルダモン等のショウガ科の植物精油、ユーカリ、クローブ（丁字）等のフトモモ科の植物精油、ブラックペッパー（クロコショウ）等のコショウ科の植物精油、また、ニクズク科の植物であるナツメグの種子から抽出される植物製油が挙げられる。
また、複数のブレンド例としては、例えば、カンキツ系の植物精油とセンダン科の植物精油とのブレンド例、カンキツ系の植物精油とスパイス類の植物精油、特に、シトロネラとニームオイルとのブレンド例及びシトロネラとシナモンバークオイル（又はシナモンリーフオイル）とのブレンド例が効果的である。このほか、ショウガ科のカルダモン、コショウ科のブラックペッパー、フトモモ科のユーカリ、クローブ等の植物精油とのブレンドの有効である。
カンキツ系の植物精油とセンダン科の植物精油をブレンドする場合の混合比は６：１〜５：１．５程度が好ましい。また、カンキツ系の植物精油とスパイス類の植物精油をブレンドする場合も、上記と同様な混合比で行えば良い。
また、シトロネラ、ニームオイル、シナモンバークオイルの３種の混合比の場合としては、３〜４．５：３〜４．５：２〜１とりわけ４：４：２の割合とするのが望ましい。
さらに、シトロネラ、ニームオイル、シナモンリーフオイルの３種の混合比の場合には、３〜４．５：３〜４．５：２〜１とりわけ４：４：２の割合とするのが望ましい。
【００２９】
なお、ここで、本発明の防虫用ロープに適用されるハーブと称されている植物精油として特に有効なシトロネラオイルの第１及び第２のサンプルについて工業用データ、組成成分を示すと、次の通りである。
Ａ．シトロネラオイル
説明：シンボパゴン  ナルダス（Ｃymbopagon nardus）の乾燥した草を蒸留して得られるもの。
第１のサンプルの工業的データ：
(1)特徴：柑橘類の臭い、特別な刺激臭を有する黄色〜青黄色の液体
(2)２０℃の比重：０．８８０〜０．９２２
(3)２０℃の屈折率：１．４６６〜１．１４７５
(4)合計のゼラニオール（Ｇeraniol)（％W/W）：最低値８５
(5)シトロネリアル（Ｃitronelial）（％W/W）：最低値３５
(6)８０％エタノールに対する溶解度（V/V)   ：１：２の割合で溶解。
次に、第２のサンプルについて述べる。第２のサンプルはグレード１（上級）、グレード２（中級）及びグレード３（汎用）があり、次の工業物理的性質を有する。
(1)外観：透明なモービルオイル。
(2)色  ：青色〜青黄色。
(3)匂い：セイロンシトロネラの独特の匂い。
(4)混合の自由度：いかなる形式の他のオイルとも混合が可能。
(5)３０℃の比重：０．８８０〜０．９１０
(6)３０℃の旋回性：−２２°〜−１２°
(7)３０℃の屈折率：−１．４６５０〜１．４８７０
(8)３０℃の溶解度：８０％（V/V)エタノールに対し、１：２の割合で溶解。
また、第２のサンプルの組成成分は、次の通りである。なお、以下の記載中、trと記載したものは割合が未確認で追跡中（trace）の数値を意味する。
(1)Tricyclene                  1.6％
(2)α-Pinene                   2.6
(3)Camphene                    8.0
(4)β-Pinene                   tr
(5)Sabinene                    tr
(6)Myrcene                     0.3
(7)Car-3-ene                   tr
(8)Phellandrene                0.8
(9)Limonene                    0.7
(10)Cis-Ocimene                 1.4
(11)Trans-Ocimene               1.8
(12)p-Cymene                    tr
(13)Terpinolene                 0.7
(14)1-Hexanol                   0.1
(15)Methyl heptenone            0.2
(16)Citronellal                 5.2
(17)Camphor                     0.5
(18)Bourbonene                  1.0
(19)Linalool                    1.2
(20)Linalyl acetate             0.8
(21)β-Caryophyllene            3.2
(22)4-Terpinenol                0.7
(23)Menthol                     tr
(24)Citronellyl acetate         1.9
(25)Borneol                     8.0
【００３０】
Ｂ．ニームオイル：
シトロネラに対してブレンドするのが好適なニームオイルのサンプルの工業用データを示すと、次の通りである。
このサンプルは、ニーム  ケルネル  オイル（Ｎeem Ｋernel oil)と称されるもので、次の組成のものである。
(1)質量中の水分及び不純物の割合：０．１７６
(2)４０℃における屈折率：１．４５６
(3)鹸化値：１．８７
(4)ヨウ化物値（Ｉodine value)：７３
(5)酸化値：８．６２
(6)質量中の反鹸化値の割合：０．５３
【００３１】
Ｃ．シナモンバークオイル
シトロネラ、ニームオイルに対してブレンドするのが好適なシナモンバークオイルのサンプルの組成成分を示すと、次の通りである。
このサンプルは、シナモンバークオイル（Ｃinnamon bark oil)と称されるもので、次の組成のものである。
(1)α-Pinene                   1.6％
(2)β-Thujene                  0.4
(3)Camphene                    0.6
(4)β-Pinene                   0.6
(5)Sabinene                    0.2
(6)α-Phellandrene             0.1
(7)Myrcene                     2.5
(8)α-Terpinene                1.3
(9)Limonene                    1.1
(10)1.8 Cineole                 5.2
(11)Cis-Ocimene                 0.1
(12)γ-Terpinene                0.2
(13)Trans-ocimene               0.1
(14)p-Cymene                    1.8
(15)Terpinolene                 0.2
(16)α-Ylangene                 0.7
(17)Benzaldehyde                0.5
(18)Linalool                    3.6
(19)β-Caryophyllene            7.5
(20)Terpine-4-ol                0.4
(21)α-Humulene                 1.2
(22)α-Terpineol                0.7
(23)Hydro cinnamic aldehyde     0.7
(24)Phenyl ethyl acetate        0.1
(25)Phenyl ethyl alcohol        0.6
(26)Phenyl propyl acetate       0.3
(27)Unknown                     0.2
(28)Unknown                     0.3
(29)Cinnamaldehyde             50.5
(30)Methyl cinnamate            0.3
(31)Cinnamyl acetate            8.7
(32)Eugenol                     4.7
(33)Methyl isoeugenol           0.1
(34)Cinnamyl alclhol            0.2
(35)isoeugenol                  0.1
(36)Coumarin                    0.4
(37)Benzyl Benzoate             1.1
【００３２】
Ｄ．シナモンリーフオイル
シトロネラ、ニームオイルに対してブレンドするのが好適なシナモンリーフオイルのサンプルの組成成分を示すと、次の通りである。
このサンプルは、シナモンリーフオイル（Ｃinnamon leaf oil)と称されるもので、次の組成のものである。
(1)α-Pinene                   0.74％
(2)β-Thujene                  0.10
(3)Camphene                    0.30
(4)β-Pinene                   0.30
(5)α-Phellandrene             tr
(6)Myrcene                     0.8
(7)α-Terpinene                0.1
(8)Limonene                    0.3
(9)1.8 Cineole                 0.5
(10)γ-Terpinene                tr
(11)Trans-Ocimene               tr
(12)p-Cymene                    0.9
(13)Terpinolene                 0.1
(14)α-Ylanglene                0.6
(15)Benzaldehyde                0.1
(16)Linalool                    2.2
(17)β-Caryphyllene             3.5
(18)Terpinen-4-ol               0.1
(19)α-Humulene                 0.6
(20)α-Terpineol                0.3
(21)Unknown                     0.1
(22)Cumenol                     0.1
(23)Safrole                     1.1
(24)Unknown                     0.4
(25)Cinnamaldehyde              2.7
【００３３】
また、シトロネラとブレンドして好適なカルダモンのサンプルの組成を示すと次の通りである。
(1)α-Pinene                   0.3％
(2)Unknown                     0.1
(3)Camphene                    tr
(4)β-Pinene                   0.2
(5)Subinene                    2.4
(6)Myrcene                     1.3
(7)α-Terpinene                0.4
(8)1,8-Cineole                30.0
(9)Cis-Ocimene                 tr
(10)Trans sabinene hydrate      0.8
(11)Trans-Ocimene               tr
(12)p-Cymene                    tr
(13)Terpinolene                 0.5
(14)Unknown                     0.1
(15)Unknown                     0.1
(16)Methyl heptanone            tr
(17)α-Cubebene                 tr
(18)Citronellal                 tr
(19)Unknown                     tr
(20)Linalool                    7.6
(21)Linalyl acetate             2.3
(22)β-Caryophyllene            tr
(23)Terpinen-4-ol               3.5
(24)Unknown                     0.1
(25)αーFemesene                 0.1
(26)Citronellyl formate         0.1
(27)Citral-a                    0.2
(28)Terpinyl acetate           34.7
(29)α-Terpineol                4.9
(30)Muurolene                   0.3
(31)Neryl acetate               0.1
(32)Citral -b                   0.1
(33)Geranyl acetate             0.8
(34)Unknown                     tr
(35)Nerol                       0.2
(36)Geraniol                    2.7
(37)α-Nerolidol                0.5
(38)Eugenol                     0.2
(39)β-Nerolidol                tr
(40)α-Farnesol                 tr
【００３４】
また、シトロネラとブレンドして好適なブラックペッパー植物精油（ペッパーオイル）のサンプルの組成を示すと次の通りである。
(1)α-Pinene                  14.9 ％
(2)β-Thujene                  1.2
(3)Camphene                    0.42
(4)β-Pinene                   9.64
(5)Subinene                   13.0
(6)α-Phellandrene             8.8
(7)△a-Carene                  0.9
(8)Myrcene                     2.2
(9)α-Terpinene                0.04
(10)Lemonene                   13.5
(11)β-Phellandrene             2.00
(12)Cis-Ocimene                 tr
(13)γ-Terpinene                0.1
(14)Trans-Ocimene               0.1
(15)p-Cymene                    1.0
(16)Unknown                     tr
(17)Terpinolene                 0.26
(18)α-Cubebene                 0.1
(19)δ-Elemene                  1.0
(20)α-Ylangene                 2.05
(21)Sesqui terpene hydrocarbon  0.05
(22)Unknown                     0.26
(23)Linalool                    0.50
(24)β-Caryphyllene            17.8
(25)Terpine-4-ol                0.4
(26)α-Humulene                 0.9
(27)β-Femesene                 0.1
(28)ε-Cadenene                 0.4
(29)α-Terpineol                0.7
(30)Borneol                     0.11
(31)Sesquiterpene hydrocarbon   0.2
(32)β-Gurjugene                0.4
(33)Bisabolene                  0.1
(34)δ-Cadinene                 tr
(35)γ-Cadinene                 0.7
(36)Calamanene                  0.1
(37)Cumenol                     tr
(38)Sesquiterpene hydrocarbon   0.2
(39)Verbenone                   0.6
(40)Sesquiterpene hydrocarbon   0.2
(41)Limonene-1,2 epoxide        0.3
(42)Unknown                     0.9
(43)α-Nerolidol                0.3
(44)Unknown                     0.2
(45)Eugenol                     0.1
(46)Methyl eugenol              0.2
(47)Muurolol-T                  0.9
(48)Eugenyl acetate             0.5
【００３５】
中華人民共和国の河川の空地等に生える野生植物で、「龍須草」（学名：Chinese
Alpine Rush、植物稲科（The Grass Pamily）に属する）は、本発明の防虫用ロープの素材である天然の有機繊維として用いると有効である。
その理由は、龍須草はそれ自体でも、害虫を近付けない機能があるので、この龍須草をハーブと称せられる植物精油のエキスに含浸した場合には、他の天然の有機繊維に比べ、防虫効果はさらに、助長されるからである。
【００３６】
第２の実施の形態：
第２の実施の形態の防虫用ロープは、第１の実施の形態の方法で生成された防虫用ロープを、さらにｃａｐｓｉｃｕｍ（激辛トウガラシ）のエキス（液状）が収納されている容器内に浸して、ｃａｐｓｉｃｕｍ（激辛トウガラシ）を含浸させたものである。
ここで、混合されるｃａｐｓｉｃｕｍのエキスをＨＰＬＣ（高速液体クラマトグラフィ）法で測定したカプサイシン含量で表示される辛み度合いは４〜１０％程度、さらに、好ましくは、７％程度とするのが適当である。
【００３７】
このような防虫用ロープの構成では、防虫用ロープを構成する有機繊維の赤色繊維Ｂの色自身による防虫効果のほか、防虫用ロープから発せられるシトロネラ等のハーブの特有の臭いに加え、ｃａｐｓｉｃｕｍの刺激性の臭いが相乗して前記の第１の実施の形態の防虫用ロープよりも、さらに増大した防虫作用及び忌避作用を発揮する。
従って、鹿等の保護動物の弊害からの防御のほか、果実に対する防虫、防鳥、防獣効果があり、さらに稲作に対しては、モグラの出没を防止し、水田の水位を適正に保ち、稲穂がでかかったときに発生し、害を及ぼそうとするイネミズゾウムシやカメムシ等の害虫に適正な忌避作用を与えることができる。
【００３８】
第３の実施の形態
この場合は、防虫用ロープの材質として、上記の第１の実施の形態又は第２の実施の形態ににおける防虫用ロープを用い、そのロープの表面に、融点が４０℃〜９０℃であるパラフィン又はワックスを含浸或いは塗布して防虫用ロープを構成したものである。
本実施の形態の防虫用ロープでは、その表面に、融点が４０℃〜９０℃である適量のパラフィン又はワックスが防虫用ロープに対して含浸或いは塗布されているから、揮発性であるハーブ、ｃａｐｓｉｃｕｍのエキスの刺激臭の保持期間のほか、防虫用ロープを構成する赤色、白色の有機繊維の各色の保持期間をも、上記の第１の実施の形態や第２の実施の形態の場合に比べて有効な期間の範囲を延長して持続できる効果がある。
なお、パラフィン又はワックスの含浸条件としては、次の含浸条件で行うのが適当であることが確認されている。
（イ）ワックスを溶融槽に入れ、７５℃程度の温度で２分程度溶融する。
（ロ）このワックスの溶融槽に防虫用ロープを含浸する。
（ハ）防虫用ロープを入れても温度が７５℃程度に保持されるように温度コントロールを行う。
（ニ）防虫用ロープの浸漬時間は、３０分〜６０分程度とする。
（ホ）上記浸漬時間経過後に、ワックスが含浸された防虫用ロープを引き上げ、ワックスを切る。この場合のワックス切りは、防虫用ロープを揺すった後、２分程度吊るす。
（ヘ）その後、ポリビニール（ナイロンポリ）製等の密封容器に入れて密封し、使用する迄保管する。
【００３９】
第４の実施の形態：
次に、本発明の具体的な適用例として、果樹園の周囲に防虫用ロープを設置して用いた防虫用ロープ装置の構成を図１及び図２を用いて説明する。
図１及び図２は夫々第４の実施の形態である本発明の防虫用ロープ装置の構成を示す正面図及び平面図である。
なお、本図で示した保護対象としては、林檎等の果実の防虫対策の場合で説明するが、稲作での防虫対策にも当然適用可能な技術であるので、この点について、逐次、補足説明を行うものである。
各図において、１乃至４は果実である林檎の木が植えられた林檎畑である果樹園１０（稲作の保護の場合は作付地面）の４隅に設けられた篠竹等から成る支柱、５ａ乃至７ａは、本発明の防虫用ロープで、これらの各防虫用ロープとしては、前記の第１〜第３の実施の形態のいずれかの防虫用ロープを用いればよい。
この防虫用ロープの構成例を、防虫用ロープ装置を構成する防虫用ロープ５ａの場合で示すと、図３で示す通りである。なお、図３は、図１の丸で囲んだ部分Ｘの防虫用ロープ５ａの拡大図で、同図中、Ａは白色のロープ状の有機繊維を、またＢは赤色のロープ状の有機繊維を示す。そして、防虫用ロープを図１及び図２に示すように、支柱１、２、３及び４間に亙って果樹園１０を囲むように張り巡らせるようにする。なお、支柱の材質は篠竹に限定されない。
この場合の各防虫用ロープの地上での高さは、害虫や害獣、害鳥の生態に合わせた下段の防虫用ロープ５ａの地上高さ、中段及び上段の地上高さを設定し、図１に示すように防虫用ロープ５ａ、６ａ、７ａを張るように構成するものである。
林檎のような果実が対象の場合は、下段の防虫用ロープは地面から侵入する害虫用として地上から１５〜２０ｃｍ程度に、また、中段の防虫用ロープは果実への飛来虫、害鳥から直接保護用として地上から６５〜１５０ｃｍ程度に、また、上段の防虫用ロープは果実樹木の少し上段の位置（例えば、２００ｃｍ〜３００ｃｍ程度）に配置するのが望ましい。
なお、図１及び図２において、Ｋ１乃至Ｋ４は果樹である林檎の木を、Ｊはその果実である林檎を示すもので、同図では、説明の都合上、林檎の木も４本の場合で記載し、葉の記載を省略するなどして、模型的に記載している。
このような防虫用ロープ装置を使用する期間としては、林檎の場合でいえば、果実である林檎が生成される直前の時期（稲作の場合には、稲穂が出始める直前の時期）に設ければよい。
この結果、防虫用ロープを構成する有機繊維Ａ、Ｂの白色、赤色の組合せが遠隔地からも目立ち、赤色を浮き出たせることにより、長波長である赤色による害虫や害鳥等に忌避作用を強力に及ぼし、かつ刺激性の異臭の効果が発揮される。
なお、本発明の防虫用ロープの場合は、使用期間が経過した後に、わざわざ各支柱から取り外さなくとも天然の有機繊維を素材とする組成の性質上、自然崩壊し、その過程で、地面に落下した場合には、肥料となるので、環境破壊の恐れは生じない。
なお、本発明の防虫用ロープの直径は小径のものを使用すればよく、例えば数ｍｍから数１０ｍｍ程度の範囲で、適用場所の環境条件を考慮して設定するものとする。
なお、林檎畑での実験例では３．５ｍｍ±２．０ｍｍ程度が最適であることが確認されている。
【００４０】
果実に損傷を与える害虫、害鳥としては、昆虫等の害虫やカラス等の飛来性の害虫、害鳥のほか、蝉の幼虫が果樹の根元に生息することを熟知している、モグラや猪が蝉の幼虫を食べることで果樹の根元が損傷し、特に猪の場合は果樹を倒木させる被害も起こすので、このような害獣への防御を含めて図１に示すように、３段程の防虫用ロープを張ると、その防御を完全にすることができることが確認されている。
また、鹿などの保護動物による対策としても、本発明の防虫用ロープ装置の設置は、有効である。即ち、本発明の防虫用ロープ及び後述する防虫用ネットは、保護対象となる農地、栽培地の周囲に設けるようにした簡易防虫・防獣装置としての適用も考えられる。
なお、猪、猿、鹿、ハクビシン等は、保護動物のため、適切な防御が求められているが、前記したものよりは、直径の大きい防虫用ロープから成る本発明の防虫用ロープ装置を農地や山林のこれらの害獣が出没し易い場所での被害を防御するために、対象とする農地、栽培地等の周囲に設置することにより、これらの動物の農地、栽培地内への侵入を防御できる。これらの動物は、矢張り、赤色に対する忌避反応を有するものが多く、且つ異臭に対しては非常に敏感であり、警戒心が強いから、本発明の資材の赤色に対する忌避作用と刺激性の異臭とにより、農園に寄り付かなくすることができるから、農園の作物をこれらの動物から防御できる。
また、山野に植樹するための苗木の保護のためには、わざわざ防虫用ロープを張らなくても苗木に本資材の防虫用ロープを縛りつけるだけでも、同様な理由から鹿等からの被害も軽減でき、保護動物に対しての適切な防御対策が可能である。
【００４１】
さらに、稲作の場合で言えば、イネミズゾウムシやカメムシの大半は、水田の畦畔際か
ら侵入する性質があるが、上記のような防虫用ロープを畦畔際の低い位置に支柱を介して張るようし、また、カメムシに対しては、出穂時の稲穂の位置に合わせて張るというように、これらの害虫の生態に合わせて数段の防虫用ロープを張ることにより、イネミズゾウムシやカメムシ等の害虫は防虫用ロープを構成する有機繊維Ｂの赤色及び防虫用ロープのから発せられるシトロネラ等のハーブ特有の刺激臭のため侵入が防止される。
また、この赤色とハーブの刺激臭はモグラに対しても忌避作用があるから、水田の水漏れも防止できる。
このように、本発明の防虫用ロープ装置は、保護動物の防御は勿論、果樹における果実に対する害虫、害鳥、害獣から適切な保護を行い、さらに、水田の水位を適正に保持し、稲に害を及ぼそうとするイネミズゾウムシやカメムシに忌避作用を与えるから、本発明の防虫用ロープ装置に囲まれた地域、作地にあるすべての果樹、稲等の農作物の生育を適正に行わせることができる。
【００４２】
第５の実施の形態：
図４は、第５の実施の形態である本発明の防虫用ロープ装置の構成を示す平面図で、比較的広い作付地面や栽培地である果樹園２０での本発明の適用例を示すものである。
図４において、１０〜１３は果樹園２０内の４隅に設けられた篠竹等から成る支柱、また、１４〜２１は補助支柱で、本実施の形態では、同図に示すように支柱１０と１１の中間に補助支柱１４、１５を、また支柱１１と１２の中間に補助支柱１６、１７を、また支柱１２と１３の中間に補助支柱１８、１９を、さらに、支柱１３と１０の中間に補助支柱２０′、２１を夫々設置し、支柱１０、補助支柱１４、１５、支柱１１、補助支柱１６、１７、支柱１２、補助支柱１８、１９、支柱１３、補助支柱２０′、２１及び支柱１０へと防虫用ロープ１７ａを地面に対して平行的に張り巡らせる。
さらに、補助支柱同士においても、保護すべき果樹園２０内の区画に沿って、図４に示すように、例えば、補助支柱１４、１９間に防虫用ロープ１７ｂを、補助支柱１５、１８間に防虫用ロープ１７ｃを、補助支柱１６、２１間に防虫用ロープ１７ｄを、補助支柱１７、２０′間に防虫用ロープ１７ｅを夫々地面に対して平行方向に張るようにするのが望ましい。  また、図４では平面図のため、図示できないが、各防虫用ロープ１７ａ〜１７ｅを，必要に応じて、図１に準じて上、中、下の３段等の複数段設けるようにし、果樹園２０の周囲を複数段において囲むように配置するのが望ましい。
なお、図４において、Ｋ１０〜Ｋ１８は果樹であるリンゴ等の果樹木を示す。
また、第５の実施の形態の場合も、第１〜第３の実施の形態のいずれかの防虫用ロープを使用するものである。
【００４３】
第６の実施の形態：
図５は第６の実施の形態の簡易防虫装置の構成を示す平面図である。
本実施の形態の簡易防虫装置は、同図に示すように、上述してきた第１〜第３の実施の形態のいずれかに記載の防虫用ロープを用いて網状に形成した防虫用ネット３１ａ、３１ｂ及び３１ｃを平面的に配置して用いる場合を示すものである。
即ち、防虫用ネット３１ａ、３１ｂ及び３１ｃを農作物の作付地面又は栽培地３０内の畦３３ａ、３３ｂ及び３３ｃの上面に対してもかぶせるようにして構成するものである。  このように、第６の実施の形態ものでは、防虫用ネットを保護対象の作付地面又は栽培地３０内の畦部分にかぶせるだけで、防虫用ネットを構成する赤色の有機繊維の防虫効果と、防虫用ネットから出るハーブほかの刺激臭の故に、稲、野菜その他の農作物に害虫、害鳥、害獣がよりつけないから、これらの農作物を害虫等の被害から適切に予防することができる。
【００４４】
第７の実施の形態：
第６の実施の形態で述べた本発明の防虫用ネットは、ビニールハウス又は温室に適用すると、これらの施設において栽培される栽培作物を、害虫から保護するのに最適である。  即ち、虫媒花の時期には、ビニールハウスの施設外の周囲の場所に防虫用ロープ装置を設置すれば、害虫（タバコガ、ヨトウムシ等の成虫）の飛来からも防御し、これら害虫の施設内への接近を抑制できるが、さらに、有効な方法としては、防虫用ネットを設ける手段が考えられる。
図６は、ビニールハウスに本発明の防虫用ネットを適用した本発明の第７の実施の形態の簡易防虫装置を示すもので、同図は正面図である。
同図において、４０はビニールハウス、４１ａは右方側の防虫用ネット４２の取り付け用の支持柱で、例えば、篠竹が用いられ、防虫用ネットを紐等の取り付け具４２ａ〜４２ｃを用いて、支持柱４１ａに取り付けられる。なお、この支持柱４１ａは、図６が正面図であるので図示できないが、ビニールハウス４０の奥行き方向（図６で紙面に直角方向）に向かい複数本設けて防虫用ネット４２を取り付けるものとする。
この場合の防虫用ネットとしては、請求項７に記載のように請求項１乃至４のいずれかに記載の防虫用ロープを用い、網状に形成して構成するが、この網目は少し粗い目であってもよい。また、ビニールハウスの外周に配置する場合には、防虫用ネットを垂直方向に配置する点に特徴がある。
そして、防虫用ネット４２の範囲としては、高さとしては、図示のようにビニールハウス４０の外周の側壁近傍の位置で、ビニールハウス４０の側壁に設けられる通気用の換気口４５を覆って対向する高さから地上まで垂らすようにし、また、奥行き方向に向かい設ける各支持柱４１ａを用いてビニールハウス４０の右方の外周の側壁に沿って奥行き方向に向かい張るようにすればよい。
【００４５】
左方側の防虫用ネット４４も右方側の防虫用ネット４２と同様に、奥行き方向に配置される各支持柱４３ａを用いてビニールハウス４０の左方側外周の側壁近傍の位置で側壁に沿って奥行き方向に向かい換気口４６を覆うように取り付けるようにすればよい。
なお、符号４４ａ〜４４ｃは防虫用ネット４４の支持柱４３ａに対する取り付け具である。
このようにビニールハウス４０の外部に防虫用ネット４２、４４を設けるだけでも有効であるが、さらに、天井の換気口４７の部分にはビニールハウス４０の内側から支持具５０を用いて、防虫用ネット５１を配置して換気口４７を覆うようにするのが望ましい。
なお、防虫用ネット４２、４４及び５１は第６の実施の形態の防虫用ネットと同等に構成すればよい。
【００４６】
このように各防虫用ネット４２、４４及び５１を設けるようにすれば、ビニールハウス自体は閉鎖状態であっても、室内の温度を所定の値に保持するために設けられる通気用の換気口に対して、外来虫であるタバコガ、ヨトウムシのほかミナミキイロアザミウマ、ミカンキイロアザイウマ、オンシツコナジラミ等の害虫が外部から飛来してきても、上記防虫用ネットを構成する有機繊維Ｂの赤色による害虫への忌避機能に加えて、防虫用ネットから発せられるハーブ、ｃａｐｓｉｃｕｍ等による刺激性の異臭によりこれらの害虫に忌避作用を付与するので、ビニールハウスには寄せ付けず、害虫による被害を防止できる。  このように防虫用ネットを簡易防虫装置として用いるときは、上記の赤色及び防虫用異臭の発揮度合いが大となるから、防虫用ロープ装置の場合よりも害虫予防に対しては有効である。
なお、支持柱は篠竹以外の材質を用いても良いことは勿論であり、また、ビニールハウスの形状、広さにより、支持柱の設置数も適応数に変更することになる。また、適応されるビニールハウスの形状も図示のものには限定されない。
【００４７】
本発明のものは、上記の各実施の形態のものには、限定されない。
例えば、上記の本発明の各実施の形態では、赤と白の２色の有機繊維を素材として、これを捩り合わせて１本のロープを生成した後、植物精油等を含浸して防虫用ロープを構成し、この防虫用ロープを用いて、防虫用ロープ装置及び防虫用ネットを構成した例で説明したが、これらの防虫用ロープの２色の有機繊維としては、一方の赤の有機繊維と組み合わせる他方の有機繊維の色としては、白色のほか、例えば、黄色というように、他の色彩に染色したものを用いても、同様な防虫、防鳥、防獣効果があるので、本発明は赤と白の２色に限定するものではない。
また、第６及び第７の実施の形態の防虫用ネットも、簡易防虫装置として適用する場合のほか、防虫用ネット単独としても商品価値を有するものであるので、請求項７に記載した。
また、図１に示す第４の実施の形態では、防虫用ロープを複数段設ける場合を例示したが、防虫用ロープを設ける場所の立地条件や広さ、及び害虫の種別などの本発明の適用条件によって、防虫用ロープを１段だけ設けるようにしてもよい。なお、防虫効果をより高めるためには、前記のように複数段とする方が望ましい。
さらに、第４及び第５の実施の形態では、保護の対象として、保護動物からの農地等の防御や林檎等の果実及び稲等の農作物に対する害虫、害鳥、害獣に対する保護を代表例に挙げて説明したが、これに限定されないことは勿論である。
【００４８】
また、農作物を被害対象として、主として、その害虫と一部の小動物や害鳥の防御機能のみを説明したが、本発明の機能はこれに限定されず、この他の害獣、害鳥に対しても忌避作用を有するものである。
【００４９】
また、本発明の防虫用ロープ又は防虫用ネットは、ネズミ、モグラ等の小動物により農作物の被害の防御に対しても有効である。
即ち、前述の水田でのモグラへの防止策としての防虫用ロープ装置の設置のほか、既に、モグラの出没用の穴ができている場合の穴やネズミの出入りの穴に本発明の防虫用ロープ又は防虫用ネットの適当量のもの（防虫資材という）を纏めて差し込むようして、簡易防虫用装置として使用することにより、この防虫資材からの赤色の忌避作用に加えて刺激性の臭いのため、モグラ、ネズミに対して忌避効果を与えるから、その被害を軽減することができる。
さらに、穀物倉庫の内側の周囲、即ち、床と壁の接点の場所に、本発明の防虫資材を簡易防虫装置として設置すれば、ネズミの他、穀物害虫であるノシメマダラメイガやコクゾウムシ等の害虫も寄り付かなくなるので、これらからの被害を大幅に軽減できる。
【００５０】
前述のように、赤、白の有機繊維に含浸させるハーブの植物精油としては、防虫、殺菌効果のある各種のハーブの植物精油の適用が可能であるが、特に、シトロネラに対してニームオイル、シナモン、ブラックペッパー等を前記の組合せでブレンドするのが工業上最適であることが確認されている。
【産業上の利用可能性】
【００５１】
本発明は保護動物の防御、果実栽培の果樹園、農作物や野菜栽培用の農地、ビニールハウスの他、穀物倉庫を含め、各種の場所での害虫、害鳥、害獣からの保護を簡易な手段で行うことができ、高度の産業上利用性を有する発明である。
【図面の簡単な説明】
【００５２】
【図１】第４の実施の形態である本発明の防虫用ロープ装置の構成を示す正面図である。
【図２】第４の実施の形態である本発明の防虫用ロープ装置の構成を示す平面図である。
【図３】第４の実施の形態の防虫用ロープ装置を構成する第１の実施の形態の防虫用ロープの構成を示す図１のＸ部分の拡大図である。
【図４】第５の実施の形態の防虫用ロープ装置の構成を示す平面図である。
【図５】第６の実施の形態の簡易防虫装置の構成を示す平面図である。
【図６】第７の実施の形態である本発明の簡易防虫装置の構成を示す正面図である。
【符号の説明】
【００５３】
１〜４、１０〜１３：支柱
５ａ〜６ａ、１７ａ〜１７ｅ：防虫用のロープ
１０：果樹園等の作付地面
２０：果樹園等の作付地面
３１ａ〜３１ｃ：防虫用ネット
３３ａ〜３３ｃ：畦
４０：ビニールハウス
４１ａ、４３ａ：支持柱
４２、４４、５１：防虫用ネット
４５、４６、４７：換気口
【図１】
2005137358.tif 000003
【図２】
2005137358.tif 000004
【図３】
2005137358.tif 000005
【図４】
2005137358.tif 000006
【図５】
2005137358.tif 000007
【図６】
2005137358.tif 000008